(57)【要約】【課題】不使用時における保管場所を別途確保しておく必要がなく、取扱い性に優れたスロープ装置を提供する。【解決手段】後端部を枢結して起伏可能に設けられ、かつ低位側床面ｆ１と略面一となる状態で収納される収納位置と、前端部が高位側床面ｆ２に向けて上方傾斜する引き上げ位置とに変換されるスロープ板３と、該スロープ板３の前端部に回動可能に枢結され、スロープ板３の下面側に回動させて折り畳まれる待避位置と、スロープ板３の前端部から前方に突出させて高位側床面ｆ２に差し渡される展開位置とに変換される渡し板１０と、該渡し板１０の展開位置を保持する位置決め手段とによりスロープ装置１を構成した。これにより、不使用時には、スロープ板３を凹陥溝２内に収納しておくことができる一方、使用時には、スロープ板３の前端部を上方に引き上げ、渡し板１０を、位置決め手段を介して展開位置に保持した状態で高位側床面ｆ２に差し渡すことにより、スロープ板３を低位側床面ｆ１と高位側床面ｆ２との間に傾斜状態で配設することができる。【選択図】　図１
2004003188.tif 000002
【特許請求の範囲】
【請求項１】
段差を有する床面の、その低位側床面に形成された凹陥溝内に、後端部を枢結して起伏可能に設けられ、かつ低位側床面と略面一となる状態で収納される収納位置と、前端部が高位側床面に向けて上方傾斜する引き上げ位置とに変換されるスロープ板と、
該スロープ板の前端部に回動可能に枢結され、スロープ板の下面側に回動させて折り畳まれる待避位置と、スロープ板の前端部から前方に突出させて高位側床面に差し渡される展開位置とに変換される渡し板と、
該渡し板の展開位置を保持する位置決め手段と
を備えてなることを特徴とするスロープ装置。
【請求項２】
低位側床面に形成された凹陥溝内に埋設される矩形状の受枠の、その後部内側縁にスロープ板の後端部を枢結して、該スロープ板を、低位側床面と略面一となる状態で収納される収納位置と、前端部が高位側床面に向けて上方傾斜する引き上げ位置とに変換するようにしたことを特徴とする請求項１に記載したスロープ装置。
【請求項３】
位置決め手段が、スロープ板の前端部に進退調整可能に配設されて、その進出状態で先端が渡し板の後端に当接して、該渡し板の待避位置からの回動量を規定することにより、渡し板の展開位置で、該渡し板を高位側床面と略平行となるようにする位置決め片によって構成されていることを特徴とする請求項１又は請求項２に記載したスロープ装置。
【請求項４】
待避位置に回動させた渡し板の待避状態を保持する保持手段を備えていることを特徴とする請求項１乃至請求項３の何れかに記載したスロープ装置。
【請求項５】
保持手段が、渡し板の下面とスロープ板の下面の、その何れか一方に配設される磁石と、他方に配設されて前記磁石に吸着される磁性体とによって構成されていることを特徴とする請求項４に記載したスロープ装置。
【発明の詳細な説明】
【０００１】
【発明の属する技術分野】
本発明は、段差を有する床面に使用するスロープ装置に関する。
【０００２】
【従来の技術】
一般に、イベント会場や大型店舗の特設売り場、或いはその他の各種施設にあって、小さい子供やお年寄り或いは車椅子を必要とする障害者が多数来訪することが予想される場合には、図５に示すように、段差ｈを有する床面ｆに、金属製又は樹脂製のスロープｃを随時設置することにより、通行に支障が生じないようにしている。
【０００３】
【発明が解決しようとする課題】
ところで、上記のように、床面ｆの段差ｈ部分にスロープｃを、必要に応じて随時設置して使用するような場合には、不使用時におけるスロープｃの保管場所を確保しておく必要がある上、使用時には保管場所から使用場所まで運搬し、使用後に再度元の場所に戻すという面倒な作業を行わなければならないため、取扱い性が悪いという問題点があった。
【０００４】
また、従来のスロープｃは、設置場所の段差ｈの高さに合わせて個々に製作されているため、製品としての汎用性がなく、受注生産品であるため、納品に時間が掛かり、価格も高いという問題点があった。
【０００５】
本発明は、かかる従来の問題点を解消し得るスロープ装置を提供することを目的とするものである。
【０００６】
【課題を解決するための手段】
本発明は、段差を有する床面の、その低位側床面に形成された凹陥溝内に、後端部を枢結して起伏可能に設けられ、かつ低位側床面と略面一となる状態で収納される収納位置と、前端部が高位側床面に向けて上方傾斜する引き上げ位置とに変換されるスロープ板と、該スロープ板の前端部に回動可能に枢結され、スロープ板の下面側に回動させて折り畳まれる待避位置と、スロープ板の前端部から前方に突出させて高位側床面に差し渡される展開位置とに変換される渡し板と、該渡し板の展開位置を保持する位置決め手段とを備えてなることを特徴とするスロープ装置である。
【０００７】
かかる構成にあって、スロープ板が、低位側床面と略面一となる状態で収納される収納位置と、前端部が高位側床面に向けて上方傾斜する引き上げ位置とに変換可能であるため、不使用時にはスロープ板を凹陥溝内に収納しておくことができる一方、使用時にスロープ板の前端部を上方に引き上げ、渡し板を、位置決め手段を介して展開位置に保持した状態で高位側床面に差し渡すことにより、スロープ板を低位側床面と高位側床面との間に傾斜状態で配設することができる。これにより、従来のように不使用時における保管場所を別途確保しておく必要がなく、運搬作業も必要ないため、取扱い性に優れたものとなる。また、不使用時にはスロープ板を低位側床面と略面一となる状態で収納することができるので、低位側床面上の通行に支障が生じることがない。
【０００８】
また、スロープ板は、後端部の枢結により傾斜角度が可変であるため、異なる高さの段差に対応可能な汎用性がある。これにより、標準品として受注前に大量生産することができるので価格の低廉化が可能であり、さらに受注時に在庫品を即座に納品し得るので、短期納品が可能となる。
【０００９】
また、前記構成にあって、低位側床面に形成された凹陥溝内に埋設される矩形状の受枠の、その後部内側縁にスロープ板の後端部を枢結して、該スロープ板を、低位側床面と略面一となる状態で収納される収納位置と、前端部が高位側床面に向けて上方傾斜する引き上げ位置とに変換するようにしてもよい。かかる構成にあっては、受枠を凹陥溝内に埋設することにより、スロープ装置の設置作業が略完了するので施工を簡単に行うことができる。
【００１０】
また、上記位置決め手段としては、スロープ板の前端部に進退調整可能に配設されて、その進出状態で先端が渡し板の後端に当接して、該渡し板の待避位置からの回動量を規定することにより、渡し板の展開位置で、該渡し板を高位側床面と略平行となるようにする位置決め片によって構成したものが提案される。このような位置決め片によって渡し板の位置決め手段を構成することにより、渡し板を待避位置から展開位置に回動させると、その展開位置で渡し板が高位側床面と略平行に保持されることとなり、該渡し板を高位側床面に対して整一に差し渡すことができる。
【００１１】
さらに、スロープ装置に、待避位置に回動させた渡し板の待避状態を保持する保持手段を具備させるようにしてもよい。このように、保持手段によって待避位置に回動させた渡し板の待避状態を保持することにより、スロープ板の収納操作を容易に行うことが可能となる。
【００１２】
また、上記保持手段としては、渡し板の下面とスロープ板の下面の、その何れか一方に配設される磁石と、他方に配設されて前記磁石に吸着される磁性体とによって構成したものが提案される。このように、磁石の吸着作用を介して渡し板の待避状態を保持させることにより、その保持操作及び離脱操作をワンタッチで簡単に行うことができる。
【００１３】
【発明の実施の形態】
本発明の一実施例を、図１〜図４について説明する。
図１，図２は、本発明にかかるスロープ装置１の施工状態を示し、段差ｈを有する床面の低位側床面ｆ１には、該段差ｈに近接させて矩形状の凹陥溝２が所定の深さで形成されており、該凹陥溝２内にスロープ板３を備えた受枠４が埋設されている。受枠４は、断面Ｌ形の金属製アングル杆を矩形状に組み付けてなるものであり、スロープ板３は、図３に示すように、受枠４内に収納できるように、該受枠４の内周より若干小さく形成した矩形状の平板からなる。ここで、該スロープ板３は、アルミニウム板を素材に用いて軽量化が図られており、後述する収納及び引き上げ操作を容易に行い得るようになっている。また、スロープ板３の上面には所定厚の表面仕上げ材５が貼着されており、該表面仕上げ材５の上面がスロープ板３の表面となっている。尚、この表面仕上げ材５としては、ノンスリップ効果に優れたゴムチップ板が好適に用いられ得る。さらにスロープ板３の上面には、収納及び引き上げ操作時に用いる把手６が起倒可能に取り付けられている。
【００１４】
スロープ板３の後端部は、複数のヒンジ７を介して受枠４の後部内側縁に回動可能に枢結されており、これによって、スロープ板３が起伏可能に設けられている。そして、該スロープ板３を、図１に示すように、前端部が高位側床面ｆ２に向けて前方傾斜する引き上げ位置と、図２に示すように、表面が低位側床面ｆ１と略面一となる状態で受枠４内に収納される収納位置とに変換できるようにしている。また、スロープ板３の下面側には、アルミニウム製のアングル杆からなる複数の補強材８が取り付けられており、該補強材８によってスロープ板３の剛性を高めるとともに、収納位置における水平状態を保持するようにしている。
【００１５】
スロープ板３の前端部には、複数のヒンジ９を介して渡し板１０が回動可能に枢結されている。該渡し板１０は、スロープ板３と同じ横幅の帯板状に形成されており、該渡し板１０をアルミニウム製とすることにより軽量化が図られている。そして、前記ヒンジ９による枢結作用を介して、渡し板１０が、図２に示すように、スロープ板３の下面側に回動させて折り畳まれる待避位置と、図１に示すように、スロープ板３の前端部から前方に突出させて高位側床面ｆ２に差し渡される展開位置とに変換できるようになっている。
【００１６】
また、スロープ板３の前端部の下面には、横幅を二等分する位置等の所定位置に磁石１１が配設されており、渡し板１０の下面には該磁石１１に吸着可能な位置に磁性体１２が配設されている。そして、この磁石１１と磁性体１２とによって、図４ハに示すように、待避位置に回動させた渡し板１０の待避状態を保持する保持手段が構成されている。
【００１７】
さらに、スロープ板３の前端部には、渡し板１０の展開位置を保持する位置決め手段が左右一対で配設されている。各位置決め手段は、図４イ〜ニに示すように、矩形状の平板片からなる位置決め片１３と、該位置決め片１３に上方から挿通される固定螺子１４と、スロープ板３に穿設された前後方向の長孔１５と、該長孔１５に挿通された前記固定螺子１４の下部突出端にスロープ板３の下面側で螺合されるナット１６とによって構成されており、該ナット１６を緩めると位置決め片１３が前後方向に進退可能となり、ナット１６を緊締すると位置決め片１３がその位置で固定される。そして、図４イに示すように、渡し板１０が高位側床面ｆ２と略平行となる状態で該高位側床面ｆ２に差し渡される展開位置で、渡し板１０の後端に位置決め片１３の先端が当接するように、該位置決め片１３の進出状態を調整することにより、渡し板１０の待避位置からの回動量を規定して、高位側床面ｆ２に差し渡された状態の渡し板１０の展開位置を保持し得るようになっている。尚、位置決め片１３の進出状態の調整は、段差ｈの高さが不変であるため、施工時に一回行えばよく、その後の使用に際して逐次調整する必要はない。
【００１８】
かかる構成にあって、図２に示すように、スロープ板３を伏臥させて受枠４内に収納した状態にあっては、該スロープ板３の表面が低位側床面ｆ１と略面一となるため、低位側床面ｆ１上の通行に支障が生じることがない。そして、この収納状態から使用状態とする場合には、図２に鎖線で示すように、把手６を起こし、該把手６を用いてスロープ板３の前部側を、図１に鎖線で示すように、高位側床面ｆ２より高い位置まで引き上げるとともに、スロープ板３の下面側に折り畳まれている渡し板１０を前方に突出するように回動させて、その突出状態を手で保持しながらスロープ板３を降下させると、渡し板１０が高位側床面ｆ２上に乗載されることとなり、図１に実線で示すように、スロープ板３の前端部が高位側床面ｆ２に向けて上方傾斜する引き上げ位置に変換することができる。また、上述したように、先端が渡し板１０の後端に当接する位置決め片１３の保持作用によって、高位側床面ｆ２に差し渡された渡し板１０が、高位側床面ｆ２と略平行となる状態で保持されるので、該渡し板１０を高位側床面ｆ２に対して整一に差し渡すことができる。
【００１９】
一方、このような使用状態から収納状態とする場合には、図４イに示すように、高位側床面ｆ２に渡し板１０が差し渡されている状態において、スロープ板３の前端部を高位側床面ｆ２より上方に引き上げると、図４ロに示すように、渡し板１０がヒンジ９を支点として自重により下方に回動して垂下する状態となるので、該渡し板１０をさらにスロープ板３の下面側に回動させて折り畳むと、スロープ板３の下面の磁石１１に、渡し板１０の下面の磁性体１２が吸着されることとなり、図４ハに示すように、渡し板１０を待避位置に保持することができる。そして、この状態でスロープ板３の前端部を降下させることにより、図４ニに示すように、スロープ板３を収納位置に簡単に戻すことができる。
【００２０】
尚、上記実施例では、低位側床面ｆ１の凹陥溝２内に埋設した矩形状の受枠４の後部内側縁に、スロープ板３の後端部を枢結するようにしているが、このような矩形状の受枠４を用いることなく、凹陥溝２の後部内側縁にアングル杆等の支持杆を配設して、該支持杆にスロープ板３の後端部を枢結するようにしてもよい。
【００２１】
また、渡し板１０の保持手段を構成する磁石１１と磁性体１２は、その配設位置を逆にしてもよい。即ち、磁石１１を渡し板１０側に配設し、磁性体１２をスロープ板３側に配設することも可能である。
【００２２】
【発明の効果】
本発明は、上述のように、段差ｈを有する床面の、その低位側床面ｆ１に形成された凹陥溝２内に、後端部を枢結して起伏可能に設けられ、かつ低位側床面ｆ１と略面一となる状態で収納される収納位置と、前端部が高位側床面ｆ２に向けて上方傾斜する引き上げ位置とに変換されるスロープ板３と、該スロープ板３の前端部に回動可能に枢結され、スロープ板３の下面側に回動させて折り畳まれる待避位置と、スロープ板３の前端部から前方に突出させて高位側床面ｆ２に差し渡される展開位置とに変換される渡し板１０と、該渡し板１０の展開位置を保持する位置決め手段とを備えてなるスロープ装置１であるので、不使用時には、スロープ板３を凹陥溝２内に収納しておくことができる一方、使用時には、スロープ板３の前端部を上方に引き上げ、渡し板１０を、位置決め手段を介して展開位置に保持した状態で高位側床面ｆ２に差し渡すことにより、スロープ板３を低位側床面ｆ１と高位側床面ｆ２との間に傾斜状態で配設することができる。これにより、従来のように不使用時における保管場所を別途確保しておく必要がなく、運搬作業も必要ないため、取扱い性に優れたものとなる。また、不使用時にはスロープ板３を低位側床面ｆ１と略面一となる状態で収納することができるので、低位側床面ｆ１上の通行に支障が生じることがない。
【００２３】
さらに、スロープ板３は、後端部の枢結により傾斜角度が可変であるため、異なる高さの段差ｈに対応可能な汎用性がある。これにより、標準品として受注前に大量生産することができるので、従来の受注生産品に比して価格の低廉化が可能であり、さらに受注時に在庫品を即座に納品し得るので、短期納品が可能である。
【００２４】
また、低位側床面ｆ１に形成された凹陥溝２内に埋設される矩形状の受枠４の、その後部内側縁にスロープ板３の後端部を枢結して、該スロープ板３を、低位側床面ｆ１と略面一となる状態で収納される収納位置と、前端部が高位側床面ｆ２に向けて上方傾斜する引き上げ位置とに変換するようにした構成にあっては、受枠４を凹陥溝２内に埋設することにより、スロープ装置１の設置作業が略完了するので施工を簡単に行うことができる。
【００２５】
また、上記位置決め手段を、スロープ板３の前端部に進退調整可能に配設されて、その進出状態で先端が渡し板１０の後端に当接して、該渡し板１０の待避位置からの回動量を規定することにより、渡し板１０の展開位置で、該渡し板１０を高位側床面ｆ２と略平行となるようにする位置決め片１３によって構成することにより、渡し板１０を待避位置から展開位置に回動させると、その展開位置で渡し板１０が高位側床面ｆ２と略平行に保持されることとなり、該渡し板１０を高位側床面ｆ２に対して整一に差し渡すことができる。
【００２６】
さらに、スロープ装置１に、待避位置に回動させた渡し板１０の待避状態を保持する保持手段を具備させることにより、スロープ板３の収納操作を容易に行うことができる。
【００２７】
また、上記保持手段を、渡し板１０の下面とスロープ板３の下面の、その何れか一方に配設される磁石１１と、他方に配設されて前記磁石１１に吸着される磁性体１２とによって構成すれば、磁石１１の吸着作用を介して渡し板１０の待避状態を保持させることにより、その保持操作及び離脱操作をワンタッチで簡単に行うことができる。
【図面の簡単な説明】
【図１】スロープ板が引き上げ位置に変換されたスロープ装置の施工状態を示す側断面図である。
【図２】スロープ板が収納位置に変換されたスロープ装置の施工状態を示す側断面図である。
【図３】スロープ装置の平面図である。
【図４】渡し板の位置決め手段と保持手段の作用説明図である。
【図５】従来構成のスロープの側面図である。
【符号の説明】
１　スロープ装置
２　凹陥溝
３　スロープ板
４　受枠
１０　渡し板
１１　磁石（保持手段）
１２　磁性体（保持手段）
１３　位置決め片（位置決め手段）
ｆ１　低位側床面
ｆ２　高位側床面
ｈ　段差
【図１】
2004003188.tif 000003
【図２】
2004003188.tif 000004
【図３】
2004003188.tif 000005
【図４】
2004003188.tif 000006
【図５】
2004003188.tif 000007